(57)【要約】【課題】  ターンテーブルの高さ位置を低く抑え、かつ傾き精度を確保する。【解決手段】  ディスク駆動モータ３０１の回転軸３０３が突出する側とは反対側のケース３０２の端面を、シャーシ１０２に接触するように載置し、さらに回転軸３０３が突出する側の端面に取り付け板１０３を当て付け、この取り付け板１０３を取り付け部材２０１，２０２に固定することで、取り付け板１０３の弾性力によって、ディスク駆動モータ３０１を、その回転軸３０３が突出する側とは反対側のケース３０２の端面がシャーシ１０２に圧接するように取り付ける。【選択図】  図３
2005190545.tif 000002
【特許請求の範囲】
【請求項１】
ケース内にステータ及びロータが収容され、当該ケースの回転軸が突出する面とは反対側の面に取り付け部を有するディスク駆動モータと、
このディスク駆動モータをその前記取り付け部がシャーシ面に弾性力によって圧接されるように取り付ける取り付け手段と、
前記ディスク駆動モータの回転軸に固定され、光ディスクメディアが装着されるターンテーブルと、
このターンテーブルに装着される光ディスクメディアの径方向に移動可能に取り付けられた光ピックアップ手段と、
を具備したことを特徴とするディスク駆動装置。
【請求項２】
前記取り付け手段は、前記シャーシに植立された複数の取り付け部材と、前記シャーシにその取り付け部を接するように配置された前記駆動モータの前記回転軸が突出する側のケース端部に接するように、前記取り付け部材間に梁渡された弾性を有する取り付け板とでなることを特徴とする請求項１に記載のディスク駆動装置。
【請求項３】
前記取り付け部材はその先端の位置が、前記シャーシにその取り付け部を接するように配置された前記駆動モータの前記回転軸が突出する側のケース端部の位置より所定量低く設定されていることを特徴とする請求項２に記載のディスク駆動装置。
【請求項４】
前記取り付け板は、前記取り付け部材にネジ止めによって固定されて前記駆動モータの前記回転軸が突出する側のケース端部に弾性接触するものであり、当該ネジ止めされる部位に切り込みが設けられていることを特徴とする請求項３に記載のディスク駆動装置。
【発明の詳細な説明】
【技術分野】
【０００１】
本発明は、ＣＤ（Compact Disk）プレーヤ、ＤＶＤ（Digital Versatile Disk）レコーダ等の光ディスクメディアを利用する情報再生機器または情報記録再生機器におけるディスク駆動装置に関し、特にディスク駆動モータのシャーシへの取り付け精度を確保しつつ、モータの軸方向の高さを抑えることを可能にしたディスク駆動装置に関する。
【背景技術】
【０００２】
昨今の、光ディスク機器においては、ＣＤ−ＲＯＭ（Compact Disk-Read Only Memory）に対応するばかりでなく、ＣＤ−Ｒ(Compact Disk -Recordable)、ＣＤ−ＲＷ(Compact Disk-ReWritble)、さらにはＤＶＤ(Digital Versatile Disk)にも対応可能ないわゆるマルチドライブの機器が広く普及してきており、ディスクトップパソコンの外付け機器として利用されるだけでなく、ノートパソコンの内蔵機器としても適用されるようになってきている。
【０００３】
したがって、装置の外形寸法も可能な限り小型化、薄型化が要求されているが、光ピックアップによって記録媒体であるディスクから情報を読取りあるいは書き込み動作を行なうものであるため、相応の機械的精度を確保する必要があり、小型化、薄型化を実現するのが困難であった。
【０００４】
一般的に、光ディスク機器の機構的要素としては、光ディスクが搭載されるターンテーブルを回転駆動するディスク駆動モータと、ターンテーブルに装着された光ディスクに対して、光ピックアップを径方向に移動させる光ピックアップ駆動機構があり、それら構成要素は通常は機器の筐体の底部に配置された金属シャーシの表面より上側に配置される。
【０００５】
シャーシ表面上にその表面から所定間隔をおいてシャーシの面と略平行なモータ取り付け面を有する取り付け枠が固定され、ディスク駆動モータは、その回転軸が突出するケースの面を、取り付け枠のモータ取り付け面に当て付けるようにして固定され、枠から突出するモータの回転軸にターンテーブルが取り付けられる。
【０００６】
また、光ピックアップ駆動機構は、シャーシ表面に例えばそのシャーシ表面との距離を調整可能なように一対のガイドシャフトが取り付けられ、光ピックアップ本体がこのガイドシャフトに摺動可能に支持され、さらに、支持された光ピックアップ本体を移送すべくシャーシに固定された光ピックアップ移送モータを備える。
【０００７】
小型化、薄型化を実現する際の最も重要で効果的な改良箇所としては、ターンテーブルの取り付け高さであり、すなわち、ディスク駆動モータの取り付け高さ寸法をいかに低く抑えるかということが重要な要素となる。
【０００８】
ディスク駆動装置の小型化、薄型化を目的とした提案が特許文献１開示されているが、この提案では、ディスク駆動モータの回転軸とターンテーブルとの結合部分の構造に着目して小型化、薄型化を実現しようとするものであり、ディスク駆動モータをベース（シャーシ）に固定する構造については言及しておらず、さらに改善の余地が残るものである。
【特許文献１】特開２００１−８４６８４号公報（第４，７頁、図１，５）
【発明の開示】
【発明が解決しようとする課題】
【０００９】
以上のように、従来なされているディスク駆動装置小型化、薄型を目的とした提案は、駆動モータの回転軸とターンテーブルの結合部分の構造を改善したものであり、ディスク駆動モータをシャーシに固定する構成を小型化、薄型化のための改良の対象とすることについては何ら触れられておらず改善の余地があった。
【００１０】
本発明は、以上の点に鑑みてなされたものであり、ディスク駆動モータの回転軸が突出するケースの面とは反対側の面の取り付け部を、取り付け手段によって、シャーシに弾性圧接するように取り付けることで、小型化、薄型化を可能にしたディスク駆動装置を提供することを目的とする。
【課題を解決するための手段】
【００１１】
本発明のディスク駆動装置は、ケース内にステータ及びロータが収容され、当該ケースの回転軸が突出する面とは反対側の面に取り付け部を有するディスク駆動モータと、このディスク駆動モータをその前記取り付け部がシャーシ面に弾性力によって圧接されるように取り付ける取り付け手段と、前記ディスク駆動モータの回転軸に固定され、光ディスクメディアが装着されるターンテーブルと、このターンテーブルに装着される光ディスクメディアの径方向に移動可能に取り付けられた光ピックアップ手段と、を具備したことを特徴とする。
【発明の効果】
【００１２】
本発明によれば、ディスク駆動モータケースの回転軸が突出する面とは反対側の面の取り付け部を、シャーシに所定の弾性力で押し付けるように取り付けるものであるため、シャーシとディスク駆動モータのケース間に隙間設けることがないため、高さ方向（回転軸方向）の長さ（装置の厚さ）を薄くすることができ、さらに、ディスク駆動モータの回転軸の垂直度もシャーシとケースとの接触によってのみ決定され、精度を悪化させる要因が少ないため、必要な精度を確保することができるものである。
【発明を実施するための最良の形態】
【００１３】
以下、図面を参照しながら本発明のディスク駆動装置の実施の形態を詳細に説明する。
【００１４】
図１は、本発明のディスク駆動装置の一実施の形態を備えたメディアディスク機器１００の内部構成を示す平面図である。また、図２は、図１を裏側から見た裏面図である。さらに、図３はディスク駆動モータを側面方向から見た図であり、図４は、ディスク駆動モータを回転軸方向から見た図である。さらに図５は、図１の内部構成から光ピックアップ部分を抜き出して示す図である。
【００１５】
図１において、１０１は図示しないディスクが装着されるターンテーブルであり、シャーシ１０２に取り付けられた図１では示されていないディスク駆動モータの回転軸に固定されている。
【００１６】
ディスク駆動モータは、弾性を有する取り付け板１０３がネジ１０４，１０５で図１では示されない取り付け部材に固定されることでシャーシ１０２に取り付けられる。
【００１７】
また、１０６は光ピックアップであり、一対のガイドシャフト１０７，１０８に摺動自在に案内される。ガイドシャフト１０７は、それぞれその端がシャーシ表面との距離を調整するための調整機構１０９，１１０を介してシャーシ１０２に取り付けられいる。また、ガイドシャフト１０８は、ターンテーブル１０１側の端が取り付け板１０３に形成されたシャフト支持部１１１によって支持され、反対側の端がシャーシ表面との距離を調整するための調整機構１１２を介してシャーシ１０２に取り付けられている。
【００１８】
これら、調整機構１０９，１１０，１１２によって光ピックアップのいわゆるチルト調整が行われる。
【００１９】
図２は、図１に示す機器１００を裏面から見た図であり、図２において、取り付け部材は符号２０１で示す部材と、図２では図示しない部材の一対で構成するように設けられており、例えばシャーシ１０２に対してアウトサート成形された樹脂によって形成されている。
【００２０】
さらに、光ピックアップ１０６を移送するためのフィードモータ２０３が、シャーシ１０２の折り曲げ部２０４に固定されている。フィードモータ２０３は、その回転軸にウォームギア２０５が形成され、さらにこのウォームギア２０５に噛合するように歯車２０６が設けられている。歯車２０６には同軸にピニオン歯車が形成されており、後述するようにピニオン歯車によって光ピックアップ１０６が移送される。
【００２１】
図３は、ディスク駆動モータがシャーシ１０２に取り付けられた状態を側面から見た図である。  
ディスク駆動モータ３０１は、内部にステータとロータを収容するケース３０２と回転軸３０３を有し、回転軸３０３はケース３０２の面から一段高く形成された回転軸支持部３０４を介して突出するように設けられている。また、回転軸３０３が突出する側のケース端面には、ネジ穴が設けられている。
【００２２】
取り付け部材２０１，２０２は、シャーシ１０２の表面から略垂直方向に植立するようにアウトサート成形されており、軸方向略中心にネジ１０４，１０５がそれぞれネジ込まれる孔３０５，３０６が形成されている。取り付け部材２０１，２０２のシャーシ表面からの高さ寸法は、ディスク駆動モータ３０１がシャーシ１０２表面に載置された際に、その回転軸３０３が突出する側のケース端面の位置より所定量低くなるように設定されている。
【００２３】
取り付け板１０３は、弾性を有する金属の板で形成され、取り付け部材２０１，２０２の孔３０５，３０６に対応する位置に開口３０７，３０８が形成されると共に、ディスク駆動モータ３０１のネジ穴に対応した位置にも開口３０９，３１０が形成され、さらに中央部分にディスク駆動モータ３０１の回転軸支持部３０４に対応した形状の開口３１１が形成されている。
【００２４】
ディスク駆動モータ３０１には、その回転軸３０３が突出するケース端面側に、取り付け板１０３が、その開口３１１に回転軸支持部３０４が嵌合するように当てがわれ、ネジ３１２，３１３によってディスク駆動モータ３０１のケース端面に取り付けられる。
【００２５】
その後、回転軸３０３にターンテーブル１０１が圧入され、さらに、ディスク駆動モータ３０１は、その回転軸３０３とは反対側のケース端面がシャーシ１０２に接するように配置された状態で、その回転軸３０３が突出する側の端面に固定された取り付け板１０３が、ネジ１０４，１０５によって取り付け部材２０１，２０２にネジ止めされることで、シャーシ１０２に取り付けられる。
【００２６】
このとき、取り付け部材２０１，２０２の高さ寸法が、ディスク駆動モータ３０１の回転軸３０３が突出する側のケース端面の位置より低くなるように設定されているため、取り付け板１０３は、ディスク駆動モータ３０１の回転軸３０３側のケース端面に接する中央部分に比べて、その両端部で、それぞれｈだけシャーシ１０２面方向に撓むようになる。
【００２７】
その結果、ディスク駆動モータ３０１は、取り付け板１０３が撓むことによって生成される弾性力によって、シャーシ１０２の表面に対して圧接するように取り付けられることになる。
【００２８】
図４は、ディスク駆動モータ３０１の回転軸３０３からターンテーブル１０１を外して回転軸方向から見た状態を示すもので、取り付け板１０３の形状を詳細に示すものである。図に示すように取り付け板１０３は、略ディスク駆動モータ３０１の径と同等の幅を有する板状部材で構成され、ネジ１０４と１０５で取り付け部材２０１，２０２に取り付ける部位に、それぞれ切り込み４０１，４０２が形成されており、この切り込みによって、適当な弾性力を生成するように構成されている。
【００２９】
図５は、図１に示すメディアディスク機器１００内部構成図から、光ピックアップ１０６を抜き出して示すものである。図５に示すように、光ピックアップ１０６は、光ピックアップ本体５０１と、この光ピックアップ本体５０１が取り付けられた印刷配線基板５０２と、印刷配線基板５０２が取り付けられるホルダ５０３を有し、ホルダ５０３に、ガイドシャフト１０７，１０８に摺動自在に係合する係合部材５０４，５０５が設けられている。
【００３０】
ガイドシャフト１０７に係合する係合部材５０４は単一に形成され、ガイドシャフト１０８に係合する係合部材５０５は、ガイドシャフト１０８の軸方向に所定間隔をおいて２個設けられている。
【００３１】
係合部材５０５は、ホルダ５０３に固定されたラック部５０６内に収容されている。ラック部５０６には、外方に向けてラック５０７が形成され、このラック５０７に、ピニオン歯車５０８が噛合されている。
【００３２】
ピニオン歯車５０８の回転によってラック５０７に、ガイドシャフト１０７，１０８の軸方向の力が伝えられることによって、光ピックアップ１０６がガイドシャフト１０７，１０８に案内されつつ移送される。
【００３３】
ピニオン歯車５０８は、図２で説明したように、シャーシ１０２の折り曲げ部２０４に取り付けられたフィードモータ２０３によって駆動される。
【００３４】
すなわち、図２に示すように、フィードモータ２０３の回転軸には、ウォーム歯車２０５が設けられ、このウオーム歯車２０５は、歯車２０６を駆動する。歯車２０６には、ピニオン歯車５０８が同軸に一体的に形成されており、結局、フィードモータ２０３によって歯車２０６を介してピニオン歯車５０８が駆動され光ピックアップ１０６が移送されることになる。なお、歯車２０６は、平歯歯車あるいははすば歯車である。
【００３５】
図１は、光ピックアップ１０６が図示しないディスクの最も内周側に位置した状態を示し、光ピックアップ１０６はこの状態から、フィードモータ２０３の一方の回転によってターンテーブル１０１から離れる方向に移送され、他方の回転によってターンテーブル１０１に近づく方向に移送されることになる。
【００３６】
再び図３に戻って、本発明のディスク駆動装置についてさらに説明すると、図３に示すように、ターンテーブル１０１が回転軸３０３に圧入されたディスク駆動モータ３０１が、取り付け板１０３を介して、ネジ１０４，１０５によって取り付け部材２０１，２０２にネジ止めされることにより、その回転軸３０３とは反対側のケース端面がシャーシ１０２に圧接するように取り付けられることで、本発明のディスク駆動装置として組み立てられる。
【００３７】
ターンテーブル１０１は、その光ディスク装着面が、シャーシ１０２表面に対して略平行するように取り付けられる必要があり、また光ディスク装着面のシャーシ１０２表面からの高さ位置が、装置の小型化、薄型化に大きく影響を与えることになる。
【００３８】
本発明によれば、ディスク駆動モータ３０１のケース端面がシャーシ１０２に接触するように取り付けられるため、シャーシ１０２の表面から、ターンテーブル１０１までの高さ寸法を低く抑えることができるという効果を有する。
【００３９】
さらに、ターンテーブル１０１のシャーシ１０２表面に対する平行度は、換言すれば、ディスク駆動モータ３０１の回転軸３０３のシャーシ１０２の表面に対する垂直度ということになり、ディスク駆動モータ３０１をいかに機械的精度を確保してシャーシ１０２に取り付けるかが、重要視されるが、本発明のディスク駆動装置によれば、ディスク駆動モータ３０１のケース端面がシャーシ１０２に圧接されるため、取り付け部材２０１，２０２及び取り付け板１０３が、ディスク駆動モータ３０１の取り付けに際する機械的精度に関与する度合いはほとんどないといってよく、したがって、もっぱらディスク駆動モータ３０１のケース３０２の機械的精度によって、取り付け精度が決定されるため、必要な精度を確保することができるものである。
【００４０】
また、取り付け部材２０１，２０２及び取り付け板１０３に対して、精度を求める必要がないため、安価な構成部品を適用することが可能になり、装置全体のコスト低減に寄与するものとなる。
【００４１】
以上のように、本発明のディスク駆動装置によれば、ディスク駆動モータを、その回転軸とは反対側のケース端面をシャーシに当て付けるように取り付けるものであるため、ターンテーブルの傾き精度（シャーシ面に対する平行度精度）を確保しつつ、ターンテーブルの高さ位置を低く抑えることができるもので、小型化、薄型化とともに低コストに寄与するディスク駆動装置を提供することができるものである。
【００４２】
なお、本発明のディスク駆動装置は、以上説明した構成に減退されるものではなく、その趣旨を逸脱しない範囲で、種々変形可能である。例えば、光ピックアップをシャーシに摺動可能に支持するガイドシャフトを調整機構を介してシャーシに取り付けるものとしたが、調整機構は必ずしも必要でなく、ガイドシャフトをシャーシに固定するようにしても本発明は実現可能である。
【図面の簡単な説明】
【００４３】
【図１】本発明に係るディスク駆動装置を搭載した光ディスク機器の内部構成を示す平面図。
【図２】図１に示す光ディスク機器の内部構成を裏面から見た図。
【図３】本発明のディスク駆動装置を側面から見た図。
【図４】本発明のディスク駆動装置をディスク駆動モータの回転軸方向から見た図。
【図５】図１に示す光ディスク機器の内部構成の要部を説明するための図。
【符号の説明】
【００４４】
１０１…ターンテーブル
１０２…シャーシ
１０３…取り付け板
１０４，１０５…ネジ
１０６…光ピックアップ
１０７，１０８…ガイドシャフト
１０９，１１０，１１２…調整機構
１１１…シャフト支持部
２０１，２０２…取り付け部材
２０３…フィードモータ
２０４…折曲部
２０５…ウォーム歯車
２０６…歯車
３０１…ディスク駆動モータ
３０２…ケース
３０３…回転軸
３０４…回転軸支持部
３０５，３０６…孔
３０７，３０８…開口
３０９，３１０…開口
３１１…開口
３１２，３１３…ネジ
５０４，５０５…係合部材
５０６…ラック部
５０７…ラック
５０８…ピニオン歯車
【図１】
2005190545.tif 000003
【図２】
2005190545.tif 000004
【図３】
2005190545.tif 000005
【図４】
2005190545.tif 000006
【図５】
2005190545.tif 000007